(57)【要約】【課題】不必要な画像の投影を制限し、投影される画像を見る側に不愉快な印象を与えてしまうのを極力回避する。【解決手段】書画台12の画像情報を取得する撮影系（39〜41，36）と、取得した画像情報に基づいた光像を形成して投影する投影系(14，24〜33)と、撮影系（39〜41，36）で得る画像情報から書画台12上に書画が静止して載置されていない状態を判断し、その判断結果に対応して投影系(14，24〜33)による撮影系（39〜41，36）で得た画像情報の投影を一時的に停止させる制御部34とを備える。【選択図】      図２
2008242312.tif 000002
【特許請求の範囲】
【請求項１】
書画を載置する書画台の画像情報を取得する画像取得手段と、
この画像取得手段で得た画像情報に基づいた光像を形成して投影する投影手段と、
上記画像取得手段で得る画像情報から上記書画台上に書画が静止して載置されていない状態を判断する判断手段と、
この判断手段での判断結果に対応し、上記投影手段による上記画像取得手段で得た画像情報の投影を一時的に停止させる投影制御手段と
を具備したことを特徴とする書画投影装置。
【請求項２】
上記判断手段は、上記画像取得手段で得る画像情報のコントラスト値により上記書画台上に書画が載置されていない状態を判断することを特徴とする請求項１記載の書画投影装置。
【請求項３】
予め書画の画像に代わる画像情報を記憶した画像記憶手段をさらに具備し、
上記投影制御手段は、上記画像取得手段で得た画像情報の投影の一時停止時に、上記画像記憶手段が記憶する画像情報を上記投影手段で投影させる
ことを特徴とする請求項１記載の書画投影装置。
【請求項４】
上記画像記憶手段は、複数の画像情報を記憶し、
上記画像記憶手段で記憶する複数の画像から１つを選択する選択手段をさらに具備し、
上記投影制御手段は、上記画像取得手段で得た画像情報の投影の一時停止時に、上記選択手段で選択した画像情報を上記画像記憶手段から読出し、上記投影手段で投影させる
ことを特徴とする請求項３記載の書画投影装置。
【請求項５】
書画を載置する書画台の画像情報を取得する画像取得部と、この画像取得部で得た画像情報に基づいた光像を形成して投影する投影部とを備えた書画投影装置での書画投影方法であって、
上記画像取得部で得る画像情報から上記書画台上に書画が静止して載置されていない状態を判断する判断工程と、
この判断工程での判断結果に対応し、上記投影部による上記画像取得部で得た画像情報の投影を一時的に停止させる投影制御工程と
を有したことを特徴とする書画投影方法。
【請求項６】
書画を載置する書画台の画像情報を取得する画像取得部と、この画像取得部で得た画像情報に基づいた光像を形成して投影する投影部とを備えた書画投影装置が内蔵するコンピュータが実行するプログラムであって、
上記画像取得部で得る画像情報から上記書画台上に書画が静止して載置されていない状態を判断する判断ステップと、
この判断ステップでの判断結果に対応し、上記投影部による上記画像取得部で得た画像情報の投影を一時的に停止させる投影制御ステップと
をコンピュータに実行させることを特徴とするプログラム。
【発明の詳細な説明】
【技術分野】
【０００１】
本発明は、書画台上に載置した各種書画の画像を投影する書画投影装置、書画投影方法及びプログラムに関する。
【背景技術】
【０００２】
従来より、プロジェクタ装置に書画カメラ装置を接続し、書画カメラ装置で撮影した書画の画像をプロジェクタ装置で投影するようなシステムが一般的に使用されていた。（例えば、特許文献１）
【特許文献１】特開２００５−１４３０９１号公報
【発明の開示】
【発明が解決しようとする課題】
【０００３】
上記特許文献１の技術を含めて、一般に書画カメラでは書画台上の画像をリアルタイムで撮影してその画像信号を出力することとなる。したがって、書画台上に何らかの書画が載置されている状態だけでなく、書画台上で書画を取り替えている途中、及び書画台上に書画類が全く載置されていない状態でもその時点の画像をリアルタイムで出力する。そのため、本来投影しようとする書画の画像に加えて、見苦しい画像、見映えの悪い画像、見る必要のない画像を合わせて投影してしまうこととなる。
【０００４】
本発明は上記のような実情に鑑みてなされたもので、その目的とするところは、不必要な画像の投影を制限し、投影される画像を見る側に不愉快な印象を与えてしまうのを極力回避することが可能な書画投影装置、書画投影方法及びプログラムを提供することにある。
【課題を解決するための手段】
【０００５】
請求項１記載の発明は、書画を載置する書画台の画像情報を取得する画像取得手段と、この画像取得手段で得た画像情報に基づいた光像を形成して投影する投影手段と、上記画像取得手段で得る画像情報から上記書画台上に書画が静止して載置されていない状態を判断する判断手段と、この判断手段での判断結果に対応し、上記投影手段による上記画像取得手段で得た画像情報の投影を一時的に停止させる投影制御手段とを具備したことを特徴とする。
【０００６】
請求項２記載の発明は、上記請求項１記載の発明において、上記判断手段は、上記画像取得手段で得る画像情報のコントラスト値により上記書画台上に書画が載置されていない状態を判断することを特徴とする。
【０００７】
請求項３記載の発明は、上記請求項１記載の発明において、予め書画の画像に代わる画像情報を記憶した画像記憶手段をさらに具備し、上記投影制御手段は、上記画像取得手段で得た画像情報の投影の一時停止時に、上記画像記憶手段が記憶する画像情報を上記投影手段で投影させることを特徴とする。
【０００８】
請求項４記載の発明は、上記請求項３記載の発明において、上記画像記憶手段は、複数の画像情報を記憶し、上記画像記憶手段で記憶する複数の画像から１つを選択する選択手段をさらに具備し、上記投影制御手段は、上記画像取得手段で得た画像情報の投影の一時停止時に、上記選択手段で選択した画像情報を上記画像記憶手段から読出し、上記投影手段で投影させることを特徴とする。
【０００９】
請求項５記載の発明は、書画を載置する書画台の画像情報を取得する画像取得部と、この画像取得部で得た画像情報に基づいた光像を形成して投影する投影部とを備えた書画投影装置での書画投影方法であって、上記画像取得部で得る画像情報から上記書画台上に書画が静止して載置されていない状態を判断する判断工程と、この判断工程での判断結果に対応し、上記投影部による上記画像取得部で得た画像情報の投影を一時的に停止させる投影制御工程とを有したことを特徴とする。
【００１０】
請求項６記載の発明は、書画を載置する書画台の画像情報を取得する画像取得部と、この画像取得部で得た画像情報に基づいた光像を形成して投影する投影部とを備えた書画投影装置が内蔵するコンピュータが実行するプログラムであって、上記画像取得部で得る画像情報から上記書画台上に書画が静止して載置されていない状態を判断する判断ステップと、この判断ステップでの判断結果に対応し、上記投影部による上記画像取得部で得た画像情報の投影を一時的に停止させる投影制御ステップとをコンピュータに実行させることを特徴とする。
【発明の効果】
【００１１】
本発明によれば、書画台上に書画が静止して載置されていない状態では書画台上の画像の投影を一時的に停止させるものとしたので、不必要な画像の投影を制限し、投影される画像を見る側に不愉快な印象を与えてしまうのを極力回避することが可能となる。
【発明を実施するための最良の形態】
【００１２】
以下本発明を書画カメラ機能を有するプロジェクタ装置に適用した場合の実施の一形態について図面を参照して説明する。
【００１３】
図１は、本発明のプロジェクタ装置１０の前面を含む斜め上方から見た外観構成を示す。プロジェクタ装置１０は、略直方体状の本体ケーシング１１の上面がガラス製の書画台１２となっており、投影したい各種の書画類を、投影したい面が下側となるように伏せた状態で書画台１２上に載置する。
【００１４】
なお、この図１は、プロジェクタ装置１０の本体ケーシング１１の上面に着脱自在に装着される、図示しないカバーを取り外した状態を示すものであり、書画カメラ機能を用いない場合や電源をオフした未使用時等には、２つのカバー装着部１３，１３により該カバーに備えられる一対の脚部を挿入して装着することで、一般的なコピー機やフラットベッドスキャナなどと同様の開閉式のカバーが取付けられるものとなる。
【００１５】
本体ケーシング１１の前面、左下端側に投影レンズ１４が配設される。また、本体ケーシング１１の前面の左右両下端に一対の脚部１５，１５が設けられる。これら脚部１５，１５は、手動で回動操作することによりそれぞれその長さが調節可能となり、プロジェクタ装置１０の設置角度を変えることができる。図示しない本体ケーシング１１底面の背面寄りの中央には、固定式の脚部が配設され、上記脚部１５，１５と合わせてこのプロジェクタ装置１０を３点支持するものとしている。
【００１６】
また、同本体ケーシング１１の前面には、図示しないこのプロジェクタ装置１０のリモートコントローラからのＩｒ（赤外線）信号を受信するＩｒ受光部１６が配設される。このＩｒ受光部１６と同様のＩｒ受光部が、図示しない本体ケーシング１１背面側にも配設されるものとし、このプロジェクタ装置１０のユーザがどの方向からこのプロジェクタ装置１０に向けてリモートコントローラを操作してもその操作信号を確実に受信できるものとしている。
【００１７】
さらに、本体ケーシング１１の背面側には、これも図示しないが画像信号を入力するための外部機器、例えばパーソナルコンピュータやビデオムービーカメラ等とケーブル接続するための各種入出力コネクタ部が設けられている。
【００１８】
また、本体ケーシング１１の右側面には、上述したリモートコントローラを用いずとも直接プロジェクタ装置１０を操作できるようなキースイッチ部１７を配設している。
【００１９】
このキースイッチ部１７としては、例えば電源キー、ＡＦＫ（Ａｕｔｏｍａｔｉｃ  Ｆｏｃｕｓ／ａｕｔｏｍａｔｉｃ  Ｋｅｙ−ｓｔｏｎｅ  ｃｏｒｒｅｃｔｉｏｎ：自動合焦／自動台形補正）キー、ズームキー、入力選択キー、「Ｍｏｄｅ」キー、カーソル（「↑」「↓」「←」「→」）キー、「Ｅｎｔｅｒ」キー、「Ｃａｎｃｅｌ」キー等からなるもので、同様のキーが上述したこのプロジェクタ装置１０のリモートコントローラにも配設されているものとする。
【００２０】
次にこのプロジェクタ装置１０の電子回路の構成について図２により説明する。  
同図で、外部入力された画像を投影する外部入力モードにおいては、入出力コネクタ部２１より入力された各種規格の画像信号が、入出力インタフェース（Ｉ／Ｆ）２２、システムバスＳＢを介して画像変換部２３で所定のフォーマットの画像信号に統一された後に、投影制御部２４へ送られる。
【００２１】
投影制御部２４は、送られてきた画像信号をビデオＲＡＭ２５に展開して記憶させた上でこのビデオＲＡＭ２５の記憶内容からビデオ信号を生成する。投影制御部２４は、このビデオ信号のフレームレート、例えば６０［フレーム／秒］と色成分の分割数、及び表示階調数を乗算した、より高速な時分割駆動で空間的光変調素子（ＳＯＭ）である例えばマイクロミラー素子２６を表示駆動する。
【００２２】
一方、リフレクタ２７内に配置された、例えば超高圧水銀灯を用いた光源ランプ２８は高輝度の白色光を出射する。光源ランプ２８の出射した白色光は、カラーホイール２９を介して時分割で原色に着色され、インテグレータ３０で輝度分布が均一な光束とされた後にミラー３１で全反射して上記マイクロミラー素子２６に照射される。しかして、マイクロミラー素子２６での反射光で光像が形成され、形成された光像が上記投影レンズ１４を介して、投影対象となるここでは図示しないスクリーンに投影表示される。
【００２３】
投影レンズ１４は、マイクロミラー素子２６で形成された光像を拡大してスクリーン等の対象に投影するものであり、合焦位置及びズーム位置（投影画角）を任意に可変できるものとする。
【００２４】
しかるに、上記光源ランプ２８の点灯駆動、及び上記カラーホイール２９を回転させるモータ（Ｍ）３２の回転駆動等をいずれも投影光処理部３３が実行する。
【００２５】
上記各回路の動作すべてを制御部３４が制御する。この制御部３４は、ＣＰＵ、ワークメモリ等により構成され、不揮発性メモリでなるプログラムメモリ３５に固定記憶された動作プログラムや各種定型データ等を用いて制御動作を実行する。
【００２６】
この制御部３４にはさらに、上記システムバスＳＢを介して書画撮影部３６、書画記憶部３７、及び音声処理部３８が接続される。
【００２７】
書画撮影部３６は、上記本体ケーシング１１からの外部入力モードではなく書画入力モード時において、光源ランプ３９を発光駆動して上記書画台１２を本体ケーシング１１内から全面に渡って照射する。
【００２８】
書画台１２上に載置された書画に例えばＬＥＤランプアレイでなる光源ランプ３９からの白色光が照射されると、その反射光により撮影レンズ４０を介してエリアイメージセンサであるＣＣＤ４１に書画の画像情報が入射、結像して取得される。具体的には、ＣＣＤ４１の光電出力を書画撮影部３６がデジタル化し、画素補間処理やγ補正処理、ホワイトバランス処理等のプリプロセス処理を実行することで上記書画台１２上に載置された書画の画像データを取得することができるもので、取得した画像データは上記書画記憶部３７に記憶される。
【００２９】
書画記憶部３７は、後述する無被写体時のユーザ設定用の画像データと合わせて、さらに少なくとも２枚分の書画の画像データを記憶する容量を有するもので、後述する書画入力モード時の出力画像の切り替え制御等に使用される。
【００３０】
音声処理部３８は、ＰＣＭ音源等の音源回路を備え、投影動作時に与えられる音声データをアナログ化し、プロジェクタ装置１０の上記本体ケーシング１１の例えば背面に設けられるスピーカ４２を駆動して拡声放音させ、あるいは必要によりビープ音等を発生させる。
【００３１】
なお、制御部３４に対して、上記キースイッチ部１７及びＩｒ受光部４３から直接ユーザのキー操作に応じた操作信号が入力される。  
Ｉｒ受光部４３は、本体ケーシング１１の前面に設けられる上記Ｉｒ受光部１６、及び同背面に設けられるＩｒ（赤外線）受光部を含み、図示しないリモートコントローラからの赤外光変調信号を復調してコード信号化し、制御部３４に送出する。
【００３２】
次に上記実施の形態の動作について説明する。  
図３は、電源投入直後より制御部３４がプログラムメモリ３５から読出した動作プログラムに基づいて実行する書画入力モード時の処理内容である。その当初には、無被写体時、すなわち書画台１２に被写体である書画が載置されていない状態での投影状態を設定するか否かを判断する（ステップＳ０１）。
【００３３】
これは、電源投入直後の投影画像中で例えば  
「無被写体時の画像の設定を行ないますか？  
ＹＥＳ→Ｅｎｔｅｒ／ＮＯ→Ｃａｎｃｅｌ」
のような選択を促すガイドメッセージを投影させた上で、その後に操作されたキーの内容により判断する。
【００３４】
ここで、プロジェクタ装置１０のデフォルト値としては、プログラムメモリ３５に動作メモリと共に記憶されている待受け用の画像データを用いる設定になっている他、特に何の投影も行なわずに黒一色あるいはブルー一色のブランク画像のみを投影する設定、及び予めユーザが書画記憶部３７に記憶しておいた画像を読出して投影する設定が選択可能であるものとする。
【００３５】
しかるに、ステップＳ０１で設定を行なうとのキー操作がなされた場合、選択肢として「ブランク」「デフォルト設定画像」「ユーザ設定画像」の３つがあり、そのいずれか１つの選択を促すようなガイドメッセージを投影させた上で、その後に操作されたキーの内容により判断し、選択された設定を保持する（ステップＳ０６）。
【００３６】
その後、通常の投影動作に移行し、書画台１２上に載置されている書画を被写体としてＣＣＤ４１で撮影し、その画像データを書画撮影部３６より入力して書画記憶部３７に一時保持させる（ステップＳ０７）。
【００３７】
次いで、保持した画像中の所定複数箇所、例えば撮影光軸中心と４隅の計５点を測定点として反射率の差が一番大きな２点を用い、プリントコントラスト値ＰＣＳ（Ｐｒｉｎｔ  Ｃｏｎｔｒａｓｔ  Ｓｉｇｎａｌ）を次式  
ＰＣＳ＝（Ｒｐ−Ｒｉ）／Ｒｐ  
（但し、Ｒｐ：紙面の（白）地部の反射率、  
Ｐｉ：紙面上のインクの反射率。）  
により求め、得られたコントラスト値が予め設定されたしきい値より大きいか否かにより、書画台１２上になんらかの書画が被写体として載置されているか否かを判断する（ステップＳ０８）。
【００３８】
ここで、しきい値より大きなコントラスト値が得られており、書画台１２上に書画が被写体として載置されていると判断した場合には、直前のステップＳ０７で読取った書画の画像データを基にマイクロミラー素子２６で光像を形成し、投影レンズ１４より投影対象となるスクリーンに投影させる（ステップＳ０９）。
【００３９】
この投影状態において、投影を終了するための電源キーの操作があったか否か（ステップＳ１０）、無被写体時の投影状態を設定するか否か（ステップＳ１１）を続けて判断し、そのいずれでもなければ再び上記ステップＳ０７に戻り、被写体である書画台１２上に載置された書画の撮影と投影の動作を続行する。
【００４０】
また、上記ステップＳ０８で、撮影した書画の画像データから得られたコントラスト値が予め設定されたしきい値以下であり、書画台１２上に被写体としての書画が載置されていないと判断した場合には、次いで無被写体時に投影すべき画像として何が設定されているのかを判断する（ステップＳ１２）。
【００４１】
ここで、「ブランク」が設定されており、特定の画像の表示を行わないと判断した場合には、設定に従い、特に何の投影も行なわずに黒一色あるいはブルー一色のブランク状態とする（ステップＳ１３）。
【００４２】
図４は、このブランク投影の状態を説明するものであり、ここでは説明のためにあえて「（ＢＬＡＮＫ）」の文字を記しているが、実際にはこのような文字の表記は必要なく、黒またはブルーによる単色画像の投影を行なう。
【００４３】
この際、黒一色の画像を投影するには、マイクロミラー素子２６でカラーホイール２９を透過してきたＲ（赤）、Ｇ（緑）、Ｂ（青）の各原色光を全て投影レンズ１４への投影光の外部に全面反射させることで、投影光を実質的に遮断することで実現される。
【００４４】
また、ブルー一色の画像を投影するには、マイクロミラー素子２６でカラーホイール２９を透過してきたＲ（赤）、Ｇ（緑）の各原色光を投影レンズ１４への投影光の外に全面反射させる一方で、Ｂ（青）の原色光のみことで、投影レンズ１４への投影光内に全面反射させるような投影光とすることで実現される。
【００４５】
また、上記ステップＳ１２で無被写体時に投影すべき画像としてデフォルトの画像が設定されていると判断した場合には、設定に従い、プログラムメモリ３５からこのプロジェクタ装置１０に当初から用意されているデフォルトの画像を読出してビデオＲＡＭ２５に保持させ、マイクロミラー素子２６で対応する光像を形成して投影レンズ１４より投影対象に向けて投影させる（ステップＳ１４）。
【００４６】
図５は、このデフォルトとしての設定画面を投影した状態を説明するものである。ここでは、次に投影される画像を待機するものとして例えば菜の花の画像中に「ＮＥＸＴ…」のような文字を嵌め込んだ画像ＩＭ０１を投影することにより、次に投影される画像を待機していることを表現している。
【００４７】
さらに、上記ステップＳ１２で無被写体時に投影すべき画像としてユーザが任意に設定した画像が設定されていると判断した場合には、設定に従い、書画記憶部３７に記憶されている筈の画像データを読出してビデオＲＡＭ２５に保持させ、マイクロミラー素子２６で対応する光像を形成して投影レンズ１４より投影対象に向けて投影させる（ステップＳ１５）。
【００４８】
図６は、このユーザが任意に設定した画面を説明するものである。ここでは、次に投影される画像を待機するものとして、ユーザがプレゼンテーション用などに作成した画像ＩＭ０２を投影することにより、本来は投影すべき画像がない状態でも見映えが良く、円滑にプレゼンテーション等を進行することができるようになる。
【００４９】
上記ステップＳ１３〜Ｓ１５のいずれかの投影を選択した後、上記ステップＳ１０からの処理に移行し、投影動作を続行する。
【００５０】
しかるに、上記ステップＳ１１で無被写体時の投影状態を設定する旨のキー操作があった場合には、上記ステップＳ０６に進み、被写体としての書画が書画台１２に載置されていない状態で代わって表示すべき画像を設定するべく３つの選択肢から１つを選択し、選択された設定を保持する。
【００５１】
また、上記ステップＳ０１で書画台１２に被写体である書画が載置されていない状態での投影状態を設定しない旨のキー操作がなされた場合には、そのまま通常の投影動作に移行し、書画台１２上に載置されている書画を被写体としてＣＣＤ４１で撮影し、その画像データを書画撮影部３６より入力して書画記憶部３７に一時保持させる（ステップＳ０２）。
【００５２】
次いで、読取った書画の画像データを基にマイクロミラー素子２６で光像を形成し、投影レンズ１４より投影対象となるスクリーンに投影させる（ステップＳ０３）。
【００５３】
このステップＳ０２，Ｓ０３の過程においては、実際に書画台１２上に被写体としての書画が載置されている、いないに拘わらず、書画が載置されているものと仮定して投影動作を実行する。
【００５４】
そのため、書画台１２から書画を取り外して何も存在しない状態、あるいは書画を取り替えるために書画台１２上で書画が移動している状態等であってもその状態に拘わらず画像の読取りとその読取りの結果としての画像の投影が実行される。
【００５５】
この投影状態において、投影を終了するための電源キーの操作があったか否か（ステップＳ０４）、無被写体時の投影状態を設定するか否か（ステップＳ０５）を続けて判断し、そのいずれでもなければ再び上記ステップＳ０２に戻り、被写体である書画台１２上に載置された書画の撮影と投影の動作を続行する。
【００５６】
しかして、ステップＳ０５で無被写体時の投影状態を設定する旨のキー操作があった場合には、上記ステップＳ０６に進み、被写体としての書画が書画台１２に載置されていない状態で代わって表示すべき画像を設定するべく３つの選択肢から１つを選択し、選択された設定を保持する。
【００５７】
また、上記ステップＳ１０またはＳ０４において投影を終了するための電源キーの操作があった都はたすると、以上でこの図３による書画入力モードでの投影動作を一旦終了する。
【００５８】
このように、本実施の形態によれば、書画台１２に被写体としての書画が載置されていない状態などのような、不必要な画像の投影を制限し、投影される画像を見る側に不愉快な印象を与えてしまうのを極力回避することが可能となる。
【００５９】
なお、上記図３のステップＳ０８では、撮影により得た書画台１２の画像データから得られるプリントコントラスト値ＰＣＳが、所定のしきい値より大きいか否かにより書画台１２上に被写体としての書画が静止状態で載置されているか否かについて判断するものとしたが、本発明はこれに限らない。
【００６０】
例えば、予め定められた複数箇所を測定点とし、各測定点のＹＭＣ（Ｙ：黄色、Ｍ：マゼンタ、Ｃ：シアン）の濃度を測定し、濃度差の最も大きい２点の差を求めて、その差が一定以上であれば、被写体としての書画が書画台１２に載置されているものと判断しても良い。
【００６１】
あるいは、予め書画台１２での反射率Ａもしくは濃度の値Ｂがプログラムメモリ３５に記憶されており、中央付近の複数箇所のうち、最もＡの値またはＢの値と差のある測定データＣを選択し、ＣとＡまたはＣとＢの値に一定以上の差があれば、被写体としての書画が書画台１２に載置されているものと判断しても良い。
【００６２】
いずれにしても、書画台１２上に被写体としての書画が載置されていない状態、あるいは、載置されていても、静止状態にはなく、書画を取り替えるためにＣＣＤ４１での撮影の瞬間に書画が書画台１２上で移動しているような状態では、取得される画像データのコントラスト値が明らかに著しく低下したものとなるので、書画台１２上に被写体としての書画が静止状態で載置されていない状態をきわめて容易且つ正確に判断することができる。
【００６３】
また、上記実施の形態では、予め書画の画像に代わる画像データをプログラムメモリ３５または書画記憶部３７に記憶させておくものとし、書画が載置されていない状態には記憶しておいて画像データを代わって投影させるものとしたので、例えばプロジェクタ装置１０を用いたプレゼンテーションの途中で原稿の書画を取り替える場合などにも、書画台１２上での煩雑な様子が投影されてしまうことなく、且つ画像投影状態が途切れてしまうこともなしに、該プレゼンテーション動作を円滑に続行することができる。
【００６４】
その際、デフォルトである画像を投影可能とすることで、ユーザの負担を軽減しながら画像投影状態の途切れない状態を実現できる一方で、ユーザが任意に設定して画像を投影可能とすることで、上記プレゼンテーション等をより効果的に実行することができ、いずれにしてもユーザの選択設定により適宜快適な投影環境を実現できる。
【００６５】
なお、上記実施の形態は、ＤＬＰ（登録商標）方式のプロジェクタ装置が書画カメラ機能を有するものとして適用した場合の実施の形態について説明したものであるが、本発明はこれに限らず、プロジェクタ装置として光像を形成する表示素子に応じた方式などは、例えば透過型のカラー液晶パネルを表示素子として投影動作を実行する液晶方式のプロジェクタ装置、あるいは原色の光源を時分割でモノクロの液晶表示パネルに透過させるフィールドシーケンシャル駆動の液晶方式のプロジェクタ装置等にも同様に適用することが可能である。
【００６６】
同様に、書画台１２上に原稿面を下にして伏せた状態で載置する書画台１２をその下面側から読取るような書画カメラに限らず、スタンドの上部にセットした書画カメラでスタンド基部の書画台上に載置した書画をその上方から撮影所定画像を読取るようなスタンド式の書画カメラの構成を有するものにも同様に適用可能であることは勿論である。
【００６７】
その他、本発明は上述した実施の形態に限定されるものではなく、実施段階ではその要旨を逸脱しない範囲で種々に変形することが可能である。また、上述した実施の形態で実行される機能は可能な限り適宜組合わせて実施しても良い。上述した実施の形態には種々の段階が含まれており、開示される複数の構成要件により適宜の組合せにより種々の発明が抽出され得る。例えば、実施の形態に示される全構成要件からいくつかの構成要件が削除されても、効果が得られるのであれば、この構成要件が削除された構成が発明として抽出され得る。
【図面の簡単な説明】
【００６８】
【図１】本発明の実施の一形態に係る書画カメラ機能付プロジェクタ装置の外観構成を示す斜視図。
【図２】同実施の形態に係るプロジェクタ装置の電子回路の機能構成を示すブロック図。
【図３】同実施の形態に係る書画カメラモードでの投影動作の処理内容を示すフローチャート。
【図４】同実施の形態に係る無被写体時のブランク投影状態を例示する図。
【図５】同実施の形態に係る無被写体時のデフォルト設定画像の投影状態を例示する図。
【図６】同実施の形態に係る無被写体時のユーザ設定画像の投影状態を例示する図。
【符号の説明】
【００６９】
１０…プロジェクタ装置、１１…本体ケーシング、１２…書画台、１３…カバー装着部、１４…投影レンズ、１５…脚部、１６…Ｉｒ受光部、１７…キースイッチ部、２１…入出力コネクタ部、２２…入出力インタフェース（Ｉ／Ｆ）、２３…画像変換部、２４…投影制御部、２５…ビデオＲＡＭ、２６…マイクロミラー素子（ＳＯＭ）、２７…リフレクタ、２８…光源ランプ、２９…カラーホイール、３０…インテグレータ、３１…ミラー、３２…モータ（Ｍ）、３３…投影光処理部、３４…制御部、３５…プログラムメモリ、３６…書画撮影部、３７…書画記憶部、３８…音声処理部、３９…光源ランプ、４０…撮影レンズ、４１…ＣＣＤ、４２…スピーカ、ＳＢ…システムバス。
【図１】
2008242312.tif 000003
【図２】
2008242312.tif 000004
【図３】
2008242312.tif 000005
【図４】
2008242312.tif 000006
【図５】
2008242312.tif 000007
【図６】
2008242312.tif 000008